(57)【特許請求の範囲】
【請求項１】
商品陳列用枠体や壁面に着脱可能又は着脱不可能に取付けられる係合片と、この係合片に後端部が固定された商品陳列バーと、この商品陳列バーの上部に位置し前記係合片あるいは該商品陳列バーの後端部と連結された支持バーと、前記支持バーの先端部に嵌合固定された表示具と、前記支持バーが挿通される支持バー挿入孔、操作バーが挿通される前記支持バー挿入孔より下方に位置する操作バー貫通孔及び前記商品陳列バーが挿通される商品陳列バー挿入孔を有し、この支持バーにスライド移動可能に取付けられ前記商品陳列バーに支持された商品を前方に押し付けることができる押し付け体と、前記操作バー貫通孔と前記表示具に形成された貫通孔を共にスライド移動可能に貫通し、後端部に操作バーの水平部材から屈曲して上方へ延びる前記押し付け体と係止する係止片を有し、前記支持バーの直下に位置して先端部を前方へ延出させた該押し付け体をスライド移動させる操作バーとを備えることを特徴とする商品陳列具。
【請求項２】
前記係止片に一端が固定され、前記操作バーを常時後方へ付勢する弾性体を、更に備える請求項１記載の商品陳列具。
【請求項３】
商品陳列用枠体や壁面に着脱可能又は着脱不可能に取付けられる係合片と、この係合片に後端部が固定された商品陳列バーと、この商品陳列バーの上部に位置し前記係合片あるいは該商品陳列バーの後端部と連結された支持バーと、前記支持バーの先端部に嵌合固定された表示具と、前記支持バーが挿通される支持バー挿入孔及び前記商品陳列バーが挿通される商品陳列バー挿入孔を有し、この支持バーにスライド移動可能に取付けられ前記商品陳列バーに支持された商品を前方に押し付けることができる押し付け体と、前記表示具に形成された貫通孔をスライド移動可能に貫通し、後端部が前記押し付け体に固定され前記支持バーの直下に位置して先端部を前方へ延出させた該押し付け体をスライド移動させる操作バーとを備えることを特徴とする商品陳列具。
【請求項４】
前記押し付け体に一端が固定され、前記押し付け体を常時後方へ付勢する弾性体を備える請求項３記載の商品陳列具。
【請求項５】
商品陳列用枠体や壁面に着脱可能又は着脱不可能に取付けられる係合片と、この係合片に後端部が固定された商品陳列バーと、この商品陳列バーの上部に位置し前記係合片あるいは該商品陳列バーの後端部と連結された支持バーと、先端部に表示具を有し前記支持バーにスライド移動可能に挿通される筒部材にした第２支持バーと、前記第２支持バーの後端部に固定され前記商品陳列バーに支持された商品を前方に押し付けることができる押し付け体と、を備えることを特徴とする商品陳列具。
【請求項６】
前記商品陳列用枠体や壁面に着脱可能に取り付けられる係合片において、前記商品陳列用枠体が、線材で形成される網目状枠体であり、前記係合片が前記線材に嵌着する鉤部を有するものである請求項１〜５のいずれか１項に記載の商品陳列具。
【請求項７】
前記商品陳列用枠体や壁面に着脱可能に取り付けられる係合片において、前記商品陳列用壁面が、少なくとも一対の係合溝を有する壁面であり、前記係合片が前記係合溝に係合する一対の係合部を有するものであるか、あるいは少なくとも一対の係合孔を有する壁面であり、前記係合片が前記係合孔に係合する一対の係合部を有するものである請求項１〜５のいずれか１項に記載の商品陳列具。
【発明の詳細な説明】
【０００１】
【発明の属する技術分野】
本発明は、スーパー及びドラッグストア等の商品陳列棚の商品陳列用枠体又は壁面に商品を多数個吊り下げ状態に陳列するとともに、常に商品を前方に整然と陳列させるのに好適な商品陳列具に関する。
【０００２】
【従来の技術】
従来、スーパーやドラッグストア等の商品陳列棚で用いられる商品陳列具は、商品陳列棚のバー部材に着脱可能又は着脱不可能に取付けることができる係合片と、この係合片に後端部が固定され先端部が上方へ傾斜された商品陳列バーと、この商品陳列バーの上部に位置し、先端部に表示具が取付けられ該商品陳列バーの後端部と連結された支持バーとで構成されている。
しかしながら、当該商品陳列具は商品陳列バーに吊り下げられた商品を前方より取り外すため、吊り下げられた商品が少なくなると、商品陳列棚の後方に商品が位置し、商品が見づらくなるため前方へ移動させなければならず、その作業は煩雑で、手数がかかるという欠点がある。また、狭い間隔で商品が陳列されている場合には、前方に商品を引き出す際、隣りの商品を移動させてしまうため、見苦しい陳列状態となり、その修正作業が必要になる等の欠点があった。また、上記商品陳列棚のバー部材以外の種々の枠体や壁面が用いられるようになり、これに適合する商品陳列具の提供が望まれていた。
【０００３】
【発明が解決しようとする課題】
従って、本発明の目的は、商品陳列用枠体や壁面に吊り下げられた商品の前出し作業が容易で、楽に行なうことができ、常に効率のよい商品の陳列状態にすることができる商品陳列具を提供することにある。
【０００４】
【課題を解決するための手段】
すなわち、本発明は、商品陳列用枠体や壁面に着脱可能又は着脱不可能に取付けられる係合片と、この係合片に後端部が固定された商品陳列バーと、この商品陳列バーの上部に位置し前記係合片あるいは該商品陳列バーの後端部と連結された支持バーと、前記支持バーの先端部に嵌合固定された表示具と、前記支持バーが挿通される支持バー挿入孔、操作バーが挿通される前記支持バー挿入孔より下方に位置する操作バー貫通孔及び前記商品陳列バーが挿通される商品陳列バー挿入孔を有し、この支持バーにスライド移動可能に取付けられ前記商品陳列バーに支持された商品を前方に押し付けることができる押し付け体と、前記操作バー貫通孔と前記表示具に形成された貫通孔を共にスライド移動可能に貫通し、後端部に操作バーの水平部材から屈曲して上方へ延びる前記押し付け体と係止する係止片を有し、前記支持バーの直下に位置して先端部を前方へ延出させた該押し付け体をスライド移動させる操作バーとを備える商品陳列具を提供するものである。
【０００５】
また、本発明は、前記係止片に一端が固定され、前記操作バーを常時後方へ付勢する弾性体を、更に備える商品陳列具を提供するものである。
また、本発明は、商品陳列用枠体や壁面に着脱可能又は着脱不可能に取付けられる係合片と、この係合片に後端部が固定された商品陳列バーと、この商品陳列バーの上部に位置し前記係合片あるいは該商品陳列バーの後端部と連結された支持バーと、前記支持バーの先端部に嵌合固定された表示具と、前記支持バーが挿通される支持バー挿入孔及び前記商品陳列バーが挿通される商品陳列バー挿入孔を有し、この支持バーにスライド移動可能に取付けられ前記商品陳列バーに支持された商品を前方に押し付けることができる押し付け体と、前記表示具に形成された貫通孔をスライド移動可能に貫通し、後端部が前記押し付け体に固定され前記支持バーの直下に位置して先端部を前方へ延出させた該押し付け体をスライド移動させる操作バーとを備える商品陳列具を提供するものである。
また、本発明は、前記押し付け体に一端が固定され、前記押し付け体を常時後方へ付勢する弾性体を備える商品陳列具を提供するものである。
また、本発明は、商品陳列用枠体や壁面に着脱可能又は着脱不可能に取付けられる係合片と、この係合片に後端部が固定された商品陳列バーと、この商品陳列バーの上部に位置し前記係合片あるいは該商品陳列バーの後端部と連結された支持バーと、先端部に表示具を有し前記支持バーにスライド移動可能に挿通される筒部材にした第２支持バーと、前記第２支持バーの後端部に固定され前記商品陳列バーに支持された商品を前方に押し付けることができる押し付け体と、を備える商品陳列具を提供するものである。
また、本発明は、前記商品陳列用枠体や壁面に着脱可能に取り付けられる係合片において、前記商品陳列用枠体が、線材で形成される網目状枠体であり、前記係合片が前記線材に嵌着する鉤部を有する前記商品陳列具を提供するものである。
また、本発明は、前記商品陳列用枠体や壁面に着脱可能に取り付けられる係合片において、前記商品陳列用壁面が、少なくとも一対の係合溝を有する壁面であり、前記係合片が前記係合溝に係合する一対の係合部を有するものであるか、あるいは少なくとも一対の係合孔を有する壁面であり、前記係合片が前記係合孔に係合する一対の係合部を有する商品陳列具を提供するものである。
【０００６】
本発明においては、上記構成を採ることにより、後方に位置する商品の前出しを短時間で容易に行なうことができ、従来行っていた商品の前出し作業が著しく短縮される。これにより効率のよい商品の陳列ができ、売り上げの向上に寄与することができる。また、当該商品陳列具は構造が簡単であるので容易に製造できるとともに、誰もが簡単に使用することができる。
また、本発明においては、商品陳列用枠体又は壁面が、線材で形成される網目状の枠体、一対の係合溝を有する壁面又は係合孔を有する壁面に対し、これに係合する係合片が、それぞれ鉤部、一対の係合片又は係合部を有するものとすることにより、如何なる種類の商品陳列用枠体又は壁面にも取り付けが可能であり、汎用性が高まる。
【０００７】
【発明の実施の形態】
本発明の形態について、図１〜図２８を参照して説明する。
図１〜図８の本発明の第１の実施の形態において、１は商品陳列用枠体又は壁面（図では省略する）に着脱可能に取付けられる本発明の商品陳列具で、この商品陳列具１は前記商品陳列用枠体や壁面に着脱可能に取付けられる係合片４と、この係合片４に後端部が溶接等によって固定され、先端部が上方へ傾斜された多数個のパッケージされた商品５を吊り下げる商品陳列バー６と、この商品陳列バー６の上部に位置し、後端部が前記係合片４あるいは該商品陳列バー６の後端部と一体形成された、本実施の形態では商品陳列バー６と連結された支持バー７と、この支持バー７の先端部に嵌合固定された表示カード８を貼着固定することができる表示具９と、前記支持バー７が挿入される挿入孔１０が形成され、該支持バー７にスライド移動可能に吊り下げられ前記商品陳列バー６に吊り下げられた商品５を押し付けることができる長孔状の該商品陳列バー挿入孔１１を有する押し付け体１２と、前記表示具９に形成された貫通孔１３および前記押し付け体をスライド移動させる手段、本実施の形態では前記押し付け体１２に形成された貫通孔１４をスライド移動可能に貫通し、後端部に該押し付け体１２と係止する係止片１５が形成され、先端部に摘み部１６が形成された操作バー１７とで構成されている。
【０００８】
上記構成の商品陳列具１はパッケージされた商品５を図２に示すように、商品陳列バー６に先端部より吊り下げ状態となるように挿入しながら押し込むことにより、押し付け体１２が支持バー７をスライド移動し後方に位置する。商品が売れて商品陳列バー６の先端部の商品５がなくなった場合には、図３に示すように操作バー１７の摘み部１６を摘んで引き出すことにより、押し付け体１２を前方へスライド移動させ、商品５を前方へ押し出す。前方に位置する商品５が商品陳列バー６の先端部に位置した所で、操作バー１７を仮想線で示すように押し込んでおく。
【０００９】
また、前記係合片４は商品陳列用枠体や壁面に着脱可能又は着脱不可能に取り付けられるものであれば、特に制限されず、例えば、図４に示すように、商品陳列用枠体１００が線材で構成される網目状のもので、この網目状枠体１００の横桟部材１０２に係合片４の上部に形成される鉤部１０１が嵌着し、固定される方式のもの（以下、鉤部嵌着方式と言う）、また、図５及び図６に示すように（図６は図５の取り付け後の一部の横断面を示す。）、商品陳列用壁面１０３が一対の係合溝１０４、１０４を有し、この係合溝１０４、１０４に係合片４の上下端に形成される一対の係合部１０５ａ、１０５ｂが係合し、固定される方式のもの（以下、鍔部係合方式と言う）、また、図７及び図８に示すように（図８は図７の取り付け後の一部の横断面を示す。）、商品陳列用壁面１０３が一定の厚みを有する平板状の壁面で、これに少なくとも一対の係合孔１０７が形成され、この一対の係合孔１０７に係合片４に一体に連結されクランク状に曲げ加工される一対の係合部１０８が係合し、固定される方式（以下、突状部係合方式と言う）等が挙げられる。
【００１０】
かかる構成を採る商品陳列具１は、後方に位置する商品の前出しを短時間で容易に行なうことができ、従来行っていた商品の前出し作業が著しく短縮される。これにより効率のよい商品の陳列ができ、売り上げの向上に寄与することができる。また、当該商品陳列具は構造が簡単であるので容易に製造できるとともに、誰もが簡単に使用することができる。また、如何なる種類の商品陳列用枠体又は壁面にも取り付けが可能であり、汎用性が高まる。
【００１１】
次に、図９〜図２８に示す本発明の異なる実施の形態につき説明する。なお、これらの本発明の異なる実施の形態の説明に当って、前記本発明の第１の実施の形態と同一構成部分には同一符号を付して重複する説明を省略する。
図９の本発明の第２の実施の形態において、前記本発明の第１の実施の形態と主に異なる点は、操作バー１７の後端部を押し付け体１２に固定した点で、このように構成した商品陳列具１Ａにしても、前記本発明の第１の実施の形態と同様な作用効果が得られる。
【００１２】
図１０及び図１１の本発明の第３の実施の形態において、前記本発明の第１の実施の形態と主に異なる点は、針金を用いて後端部に押し付け体１２Ａを形成した操作バー１７を形成するとともに、該操作バー１７をスライド可能に支持する支持具１８に支持バー７を挟着状態で支持する挟着片１９を形成した点で、このように構成した商品陳列具１Ｃにしても、前記本発明の第１の実施の形態と同様な作用効果が得られる。
【００１３】
図１２図及び図１３の本発明の第４の実施の形態において、前記本発明の第１の実施の形態と主に異なる点は、操作バー１７を常時収納状態に位置できるように該操作バー１７の後端部と支持バー７の後端部との間に弾性体２０、本実施の形態では引張りスプリングを介装した点で、このように構成した商品陳列具１Ｄにしても、前記本発明の第１の実施の形態と同様な作用効果が得られる。
【００１４】
図１４及び図１５の本発明の第５の実施の形態において、前記本発明の第３の実施の形態と主に異なる点は、後端部に押し付け体１２Ａを一体形成した操作バー１７を引張りスプリング２０で常時収納状態に位置できるようにした点で、このように構成した商品陳列具１Ｅにしても、前記本発明の第３の実施の形態と同様な作用効果が得られる。
【００１５】
図１６及び図１７の参考となる第６の実施の形態において、前記本発明の第１の実施の形態と主に異なる点は、押し付け体１２を自動的にスライド移動させる点であり、本実施の形態では押し付け体１２に該押し付け体１２を常時所定の押し圧力によって前方へ移動させる定荷重バネ２１を取付けた点にあり、このように構成した商品陳列具１Ｆにしても、前記本発明の第１の実施の形態と同様な作用効果が得られるとともに、自動的に商品５を前方に押し出すことができる。
【００１６】
図１８及び図１９の参考となる第７の実施の形態において、前記本発明の第６の実施の形態と主に異なる点は、表示具９に定荷重バネ２１を取付けた点で、このように構成した商品陳列具１Ｇにしても、前記本発明の第６の実施の形態と同様な作用効果が得られる。
【００１７】
図２０及び図２１の本発明の第８の実施の形態において、前記本発明の第２の実施の形態と主に異なる点は、固定支持バー２３Ａを棒状のものを用い、該固定支持バー２３Ａにスライド移動可能に取付けられる可動表示具支持バー２４Ａを筒部材にした支持バー７Ｃを用いた点で、このように構成した商品陳列具１１にしても、前記本発明の第２の実施の形態と同様な作用効果が得られる。
【００１８】
図２２及び図２３の参考となる第９の実施の形態において、前記本発明の第１の実施の形態と主に異なる点は、押し付け体１２を常時前方へスライド移動するように支持バー７の前方が下方に位置するように傾斜状態で配置した点で、このように構成した商品陳列具１Ｋにしても、前記本発明の第１の実施の形態と同様な作用効果が得られるとともに、構造を簡単にできる。
【００１９】
図２４の参考となる第１０の実施の形態において、前記本発明の第１の実施の形態と主に異なる点は、押し付け体１２がスプリングコイル２８の引張り力により商品陳列バー６に支持された商品５を自動的に押し出す点と、支持バー７の先端に支持ブロック３０１を介して回転可能（図では省略）に取付けられた商品の脱落防止を兼ねる商品整列矯正部材２９を備える点である。押し付け体１２は、支持バー７と商品陳列バー６に摺動可能なガイド部１２１、１２２を備え、押し出し板１２３の上方部に一端を固定するスプリングコイル２８の作用により前方へ自動的に押出される。商品陳列矯正部材２９は、商品陳列バー６に支持された最前端の商品５の商品陳列バー６との係合位置より下方に位置する部分（商品の重心位置より上方）に当接することにより、商品陳列バー６に支持された商品５を駐止状態とするか又は略鉛直状態に整列した姿勢に矯正するもので、アクリル樹脂等の透明板材により上下方向に長い矩形状に成形されている。このように構成された商品陳列具１Ｍにおいても、前記本発明の第１の実施の形態と同様な作用効果が得られる。また、押し付け体１２と商品整列矯正部材２９との組合せにより商品の重いもの、軽いものいずれの商品に対しても陳列の見栄えがよくなる。また、商品整列矯正部材２９の下端部に商品側５へ折り曲げて当接部２９１を形成することにより、商品５との接触面積を小さくでき、商品整列矯正部材２９の摩擦による商品５への損傷を減少できる。また、商品陳列具１Ｍから商品５を取り出す場合は、商品陳列バー６の先端側に位置する商品５を指で把持して商品陳列バー６の先端側から抜き取る。これにつれて商品整列矯正部材２９が回動されるから（図では省略）、商品の取り出しを容易に行うことができる。この場合、商品５を商品陳列バー６から抜き取った後は、商品整列矯正部材２９が直ちに元の位置に戻るとともに、押し付け体１２による前出しにより、商品陳列バー６に支持されている商品５は鉛直に支持された状態に整列される。
【００２０】
図２５〜図２７により参考となる第１１の実施の形態において、前記本発明の第６の実施の形態と主に異なる点は、押し付け体１２が摺動する案内溝１２６を有したカバーケース４０を支持バー７を包むように形成した点にある。このように構成された商品陳列具１Ｐにおいても、前記本発明の第１０の実施の形態と同様な作用効果が得られるほか、カバーケース４０がスプリングコイルや板バネを覆い隠すため、見栄えのよい陳列具となる。
【００２１】
図２８により参考となる第１２の実施の形態において、第１１の実施の形態と主に異なる点は、商品整列矯正部材２９の回転支持機構にある。すなわち、図２５のストッパー部材及びスプリング（図では省略）に代えて回転支持機構３１を構成する支持ブロック３６の略中央上部に一対の係合部３６ａを一体成形し、これをトーションバネ３８を介して商品整列矯正部材２９に取り付けたものである。このように構成された商品陳列具１Ｑにおいても、前記本発明の第１１の実施の形態と同様な作用効果が得られるほか、第２８図において、商品陳列具１Ｑから商品５を補充する場合や全部抜き取る場合は、商品整列矯正部材２９を上方へ回動させ、これを支持ブロック３６方向にスライドさせると、支持ブロック３６の係合部３６ａと表示具９の係合部３６ｂが係合するため、商品整列矯正部材２９は水平状態に保持される。このため、回動支持機構３１の構成を簡単にでき、商品陳列具を低コスト化できる。また、商品補充や抜き取りが容易となる。
【００２２】
なお、前記本発明の各実施の形態において係合片４又は係合片４を構成する補強兼固定部材１０９と下部部材１１０並びに商品陳列バー６、６Ａと支持バー７を固定する方法としては、特に制限されないが、溶接で固定する方法が好ましいが、本発明はこれに限らず係合片４と商品陳列バー６、６Ａ又は支持バー７を一体に形成したものを使用してもよい。
また、支持バー７の先端部に表示具９を取付けたものについて説明したが、本発明はこれに限らず、支持バー７の先端部に表示具９を取付ず使用してもよい。また、上記第２〜第１２の実施の形態においても、商品陳列用枠体及び壁面に係合片を取り付ける方法としては、前記鉤部嵌着方式、鍔部係合方式又は突状部係合方式のいずれも使用することができる。
【００２３】
【発明の効果】
本発明においては、上記構成を採ることにより、後方に位置する商品の前出しを短時間で容易に行なうことができ、従来行っていた商品の前出し作業が著しく短縮される。これにより効率のよい商品の陳列ができ、売り上げの向上に寄与することができる。また、当該商品陳列具は構造が簡単であるので容易に製造できるとともに、誰もが簡単に使用することができる。また、如何なる種類の商品陳列用枠体又は壁面にも取り付けが可能であり、汎用性が高まる。
【図面の簡単な説明】
【図１】本発明の第１の実施の形態の側面から見た使用状態の要部断面図を示す。
【図２】本発明の第１の実施の形態の使用状態の側面図を示す。
【図３】本発明の第１の実施の形態の操作バーを作動させた状態の説明図を示す。
【図４】本発明の商品陳列具の係合片が商品陳列用枠体に係合する状態を示す一部の斜視図である。
【図５】本発明の商品陳列具の係合片が商品陳列用壁面に係合する状態を示す一部の斜視図である。
【図６】図５の取り付け後の一部を示す断面図である。
【図７】本発明の商品陳列具の他の形態における係合片が商品陳列用壁面に係合する状態を示す一部の斜視図である。
【図８】図７の取り付け後の一部を示す断面図である。
【図９】本発明の第２の実施の形態の使用状態の側面図を示す。
【図１０】本発明の第３の実施の形態の使用状態の側面図を示す。
【図１１】本発明の第３の実施の形態の使用状態の平面図を示す。
【図１２】本発明の第４の実施の形態の使用状態の側面図を示す。
【図１３】本発明の第４の実施の形態の使用状態の平面図を示す。
【図１４】本発明の第５の実施の形態の使用状態の側面図を示す。
【図１５】本発明の第５の実施の形態の使用状態の平面図を示す。
【図１６】本発明の第６の実施の形態の使用状態の一部破断側面図を示す。
【図１７】本発明の第６の実施の形態の使用状態の平面図を示す。
【図１８】本発明の第７の実施の形態の使用状態の一部破断側面図を示す。
【図１９】本発明の第７の実施の形態の使用状態の平面図を示す。
【図２０】本発明の第８の実施の形態の使用状態の側面図を示す。
【図２１】本発明の第８の実施の形態の使用状態の平面図を示す。
【図２２】本発明の第９の実施の形態の使用状態の一部側面図を示す。
【図２３】本発明の第９の実施の形態の使用状態の平面図を示す。
【図２４】本発明の第１０の実施の形態の使用状態の斜視図を示す。
【図２５】本発明の第１１の実施の形態の使用状態の斜視図を示す。
【図２６】図２６は図２５の使用状態の側面図を示す。
【図２７】図２７は図２５のＡ−Ａ線に沿って見た断面図を示す。
【図２８】本発明の第１２の実施の形態の構成を示す分解図を示す。
【符号の説明】
１          商品陳列具
３          バー部材
４          係合片
７          支持バー
９          表示具
１２          押し付け体
１０９          補強兼固定部材
【図１】
0003894516.tif 000002
【図２】
0003894516.tif 000003
【図３】
0003894516.tif 000004
【図４】
0003894516.tif 000005
【図５】
0003894516.tif 000006
【図６】
0003894516.tif 000007
【図７】
0003894516.tif 000008
【図８】
0003894516.tif 000009
【図９】
0003894516.tif 000010
【図１０】
0003894516.tif 000011
【図１１】
0003894516.tif 000012
【図１２】
0003894516.tif 000013
【図１３】
0003894516.tif 000014
【図１４】
0003894516.tif 000015
【図１５】
0003894516.tif 000016
【図１６】
0003894516.tif 000017
【図１７】
0003894516.tif 000018
【図１８】
0003894516.tif 000019
【図１９】
0003894516.tif 000020
【図２０】
0003894516.tif 000021
【図２１】
0003894516.tif 000022
【図２２】
0003894516.tif 000023
【図２３】
0003894516.tif 000024
【図２４】
0003894516.tif 000025
【図２５】
0003894516.tif 000026
【図２６】
0003894516.tif 000027
【図２７】
0003894516.tif 000028
【図２８】
0003894516.tif 000029